(57)【要約】【課題】過電流検出電流値と短絡電流値の精度を向上させ、消費電流を削減し、安全性の高いバッテリ装置を提供する。【解決手段】短絡過電流検出回路は、定電流がインピーダンス素子と二次電池の電圧によって抵抗値が変化するトランジスタに流れることで発生する基準電圧を出力とする基準電圧回路と、過電流検出端子の電圧と基準電圧を比較する第一の比較回路と、過電流検出端子の電圧に基づく電圧と基準電圧を比較する第二の比較回路とを備える。【選択図】図１
2015220771.tif 000002
【特許請求の範囲】
【請求項１】
二次電池の電圧や異常を検知する制御回路と、過電流検出端子の電圧で過電流や短絡を検出する短絡過電流検出回路と、を有する充放電制御回路であって、
前記短絡過電流検出回路は、
定電流回路と、第一のインピーダンス素子と、前記二次電池の電圧によって抵抗値が変化するトランジスタで構成され、前記定電流回路の電流が前記第一のインピーダンス素子と前記トランジスタに流れることで発生する電圧を出力とする基準電圧回路と、
前記過電流検出端子の電圧と前記基準電圧回路の電圧を比較する第一の比較回路と、
一方の端子が前記過電流検出端子に接続される第二のインピーダンス素子と、
一方の端子が前記第二のインピーダンス素子のもう一方の端子に接続される第三のインピーダンス素子と、
前記第二のインピーダンス素子と前記第三のインピーダンス素子の接続点に発生する電圧と前記基準電圧回路の電圧を比較する第二の比較回路と、
を備えたことを特徴とする充放電制御回路。
【請求項２】
二次電池と、
前記二次電池の充放電経路に設けられた充放電制御スイッチと、
前記二次電池の電圧を監視し、前記充放電制御スイッチを制御する請求項１に記載の充放電制御回路と、
を備えたことを特徴とするバッテリ装置。
【請求項３】
前記第二のインピーダンス素子は前記二次電池の充放電経路に設けられた第一の充放電制御スイッチを備え、
前記第三のインピーダンス素子は前記二次電池の充放電経路に設けられた第二の充放電制御スイッチを備えることを特徴とする請求項１に記載の充放電制御回路。
【請求項４】
二次電池と、
請求項３に記載の充放電制御回路と、を備えたことを特徴とするバッテリ装置。
【請求項５】
二次電池の電圧や異常を検知する制御回路と、過電流検出端子の電圧で過電流や短絡を検出する短絡過電流検出回路と、を有する充放電制御回路と、前記二次電池の充放電経路に設けられた第一の充放電制御スイッチ及び第二の充放電制御スイッチと、備えたバッテリ装置であって、
前記短絡過電流検出回路は、
定電流回路と、第一のインピーダンス素子と、前記二次電池の電圧によって抵抗値が変化するトランジスタで構成され、前記定電流回路の電流が前記第一のインピーダンス素子と前記トランジスタに流れることで発生する電圧を出力とする基準電圧回路と、
前記過電流検出端子の電圧と前記基準電圧回路の電圧を比較する第一の比較回路と、
前記第一の充放電制御スイッチと前記第二の充放電制御スイッチの接続点に発生する電圧と前記基準電圧回路の電圧を比較する第二の比較回路と、を備えたことを特徴とするバッテリ装置。
【請求項６】
前記第一の充放電制御スイッチと前記第二の充放電制御スイッチが設けられた前記二次電池と外部端子の間の充放電経路に抵抗を備えたことを特徴とする請求項２または４または５に記載のバッテリ装置。
【発明の詳細な説明】
【技術分野】
【０００１】
本発明は二次電池と、二次電池の電圧や異常を検知し二次電池の充放電を制御する充放電制御回路を備えたバッテリ装置に関し、特にバッテリが異常な状態になることや、バッテリやバッテリに接続した機器に過度な電流が流れることを防止する充放電制御回路およびバッテリ装置に関する。
【背景技術】
【０００２】
図４に、従来の充放電制御回路を備えたバッテリ装置の回路図を示す。従来の充放電制御回路を備えたバッテリ装置は、二次電池１１と、Ｎｃｈ放電制御電界効果トランジスタ１２と、Ｎｃｈ充電制御電界効果トランジスタ１３と、充放電制御回路１４と、抵抗２２、３１と、容量３２と、外部端子２０、２１で構成されている。充放電制御回路１４は、制御回路１５と、過電流検出回路５３０と、短絡検出回路５４０と、過電流検出端子１９と、充電制御信号出力端子４１と、放電制御信号出力端子４２と、ＤＳ端子４５と、正極電源端子４４と、負極電源端子４３で構成されている。過電流検出回路５３０は、比較回路１０１と、基準電圧回路５３１で構成されている。短絡検出回路５４０は、比較回路１０２と、基準電圧回路５４１で構成されている。
【０００３】
制御回路１５は、抵抗５０４、５０５、５０６、５０７、５１８、５２８と、基準電圧回路５０９、５１５と、比較回路５０１、５０８、５１３と、発振回路５０２と、カウンター回路５０３と、ロジック回路５１０と、レベルシフト回路５１１と、遅延回路５１２と、ロジック回路５２０と、ＮＭＯＳトランジスタ５１７、５１９で構成されている。
【０００４】
次に、動作について説明する。外部端子２０、２１の間に負荷が接続され、電流が流れると二次電池１１の負極と外部端子２１間に電位差が発生する。この電位差は、外部端子２０、２１間に流れた電流量Ｉ1、Ｎｃｈ放電制御電界効果トランジスタ１２の抵抗値Ｒ12、Ｎｃｈ充電制御電界効果トランジスタ１３の抵抗値Ｒ13によって決定され、Ｉ1×（Ｒ12＋Ｒ13）で表される。過電流検出端子１９の電圧は外部端子２１の電圧と等しい。比較回路１０１が基準電圧回路５３１の電圧と過電流検出端子１９の電圧を比較し、過電流検出端子１９の電圧が高ければ、Ｎｃｈ放電制御電界効果トランジスタ１２をオフし、過電流保護をかける。過電流検出電流値の設定値をＩDOP、基準電圧回路５３１の電圧をＶ531、Ｎｃｈ放電制御電界効果トランジスタ１２の抵抗値をＲ12、Ｎｃｈ充電制御電界効果トランジスタ１３の抵抗値をＲ13とする。比較回路１０１が検出信号を出力する閾値電圧となる時の外部端子２１の電圧はＶ531である。この時、外部端子２０、２１間に流れた電流は、外部端子２１の電圧をＮｃｈ放電制御電界効果トランジスタ１２とＮｃｈ充電制御電界効果トランジスタ１３の抵抗値の合計で割ったものとなり、ＩDOP＝Ｖ531／（Ｒ12＋Ｒ13）と表される。
【０００５】
比較回路１０１が検出信号を出力する閾値電圧となる時の充放電制御回路の過電流検出端子の電圧を過電流検出電圧と呼ぶ。比較回路１０２が検出信号を出力する閾値電圧となる時の充放電制御回路の過電流検出端子の電圧を短絡検出電圧と呼ぶ。
【先行技術文献】
【特許文献】
【０００６】
【特許文献１】特開２００４−１０４９５６号公報
【発明の概要】
【発明が解決しようとする課題】
【０００７】
しかしながら従来の技術では、充放電制御回路の過電流検出電圧と短絡検出電圧は二次電池電圧や温度が変化しても一定の値であるのに対し、Ｎｃｈ充放電制御電界効果トランジスタの抵抗値が二次電池電圧や温度の変化に伴って変化するため、過電流検出電流値や短絡電流検出電流値が変動してしまう。このため、過電流検出電流値や短絡電流検出電流値の精度が悪くバッテリ装置の安全性が低いという課題があった。また、過電流検出回路と短絡検出回路で２つの基準電圧回路を用いるため消費電流が高いという課題もあった。
【０００８】
本発明は、以上のような課題を解決するために考案されたものであり、充放電制御回路の過電流検出電圧と短絡検出電圧をＮｃｈ充放電制御電界効果トランジスタの抵抗値の二次電池電圧や温度による変化に一致するように変化させ、過電流検出電流値が二次電池電圧や温度の変化によって変動しないようにする。これにより、低消費電流でありながら、過電流検出電流値と短絡電流値の精度を向上させた、安全性の高いバッテリ装置を提供するためのものである。
【課題を解決するための手段】
【０００９】
従来の課題を解決するために、本発明の充放電制御回路は以下のような構成とした。
短絡過電流検出回路は、定電流がインピーダンス素子と二次電池の電圧によって抵抗値が変化するトランジスタに流れることで発生する基準電圧を出力とする基準電圧回路と、過電流検出端子の電圧と基準電圧を比較する第一の比較回路と、過電流検出端子の電圧に基づく電圧と基準電圧を比較する第二の比較回路とを備える。
【発明の効果】
【００１０】
本発明によれば、充放電制御回路の過電流検出電圧と短絡検出電圧の二次電池電圧依存性と温度依存性を充放電制御スイッチの抵抗値の二次電池電圧依存性と温度依存性に一致させることが可能となり、二次電池電圧や温度が変化してもバッテリ装置の過電流検出電流値と短絡検出電流値は一定の値となる。これにより、過電流検出電流値と短絡検出電流値の精度を向上させ、消費電流を削減し、安全性の高いバッテリ装置の提供が可能となる。
【図面の簡単な説明】
【００１１】
【図１】第一の実施形態の充放電制御回路及びバッテリ装置の回路図である。
【図２】第二の実施形態の充放電制御回路及びバッテリ装置の回路図である。
【図３】第三の実施形態の充放電制御回路及びバッテリ装置の回路図である。
【図４】従来の充放電制御回路及びバッテリ装置の回路図である。
【発明を実施するための形態】
【００１２】
＜実施形態１＞
図１は、第一の実施形態の充放電制御回路及びバッテリ装置の回路図である。
第一の実施形態の充放電制御回路及びバッテリ装置は、二次電池１１と、Ｎｃｈ放電制御電界効果トランジスタ１２と、Ｎｃｈ充電制御電界効果トランジスタ１３と、充放電制御回路１４と、抵抗２２、３１と、容量３２と、外部端子２０、２１で構成されている。充放電制御回路１４は、制御回路１５と、短絡過電流検出回路１１０と、過電流検出端子１９と、充電制御信号出力端子４１と、放電制御信号出力端子４２と、正極電源端子４４と、負極電源端子４３で構成されている。短絡過電流検出回路１１０は、比較回路１０１、１０２と、定電流回路１０３と、抵抗１０４、１０６、１０７と、ＮＭＯＳトランジスタ１０５で構成されている。定電流回路１０３と、抵抗１０４と、ＮＭＯＳトランジスタ１０５で基準電圧回路を構成する。
【００１３】
二次電池１１は、正極は外部端子２０と抵抗３１に接続され、負極は容量３２と負極電源端子４３とＮｃｈ放電制御電界効果トランジスタ１２のソース及びバックゲートに接続される。正極電源端子４４は、抵抗３１と容量３２の接続点に接続される。Ｎｃｈ放電制御電界効果トランジスタ１２は、ゲートは放電制御信号出力端子４２に接続され、ドレインはＮｃｈ充電制御電界効果トランジスタ１３のドレインに接続される。Ｎｃｈ充電制御電界効果トランジスタ１３は、ゲートは充電制御信号出力端子４１に接続され、ソース及びバックゲートは外部端子２１および抵抗２２に接続される。抵抗２２のもう一方の端子は過電流検出端子１９に接続される。
【００１４】
比較回路１０１は、反転入力端子は過電流検出端子１９に接続され、非反転入力端子は定電流回路１０３と抵抗１０４の接続点に接続され、出力端子は制御回路１５に接続される。ＮＭＯＳトランジスタ１０５は、ゲートは正極電源端子４４に接続され、ドレインは抵抗１０４のもう一方の端子に接続され、ソースは負極電源端子４３に接続される。定電流回路１０３のもう一方の端子は正極電源端子４４に接続される。比較回路１０２は、反転入力端子は抵抗１０６と抵抗１０７の接続点に接続され、非反転入力端子は定電流回路１０３と抵抗１０４の接続点に接続され、出力端子は制御回路１５に接続される。抵抗１０６のもう一方の端子は負極電源端子４３に接続され、抵抗１０７のもう一方の端子は過電流検出端子１９に接続される。制御回路１５は、電源端子が正極電源端子４４に接続され、グラウンド端子が負極電源端子４３に接続され、第一の出力端子が放電制御信号出力端子４２に接続され、第二の出力端子が充電制御信号出力端子４１に接続される。
【００１５】
次に、動作について説明する。二次電池１１が過充電検出電圧以下かつ過放電検出電圧以上である時、Ｎｃｈ放電制御電界効果トランジスタ１２、Ｎｃｈ充電制御電界効果トランジスタ１３はオンするように制御される。この状態で外部端子２０、２１の間に負荷が接続され、放電電流が流れると二次電池１１の負極と外部端子２１間に電位差が発生する。この電位差は、外部端子２０、２１間に流れた電流量Ｉ1、Ｎｃｈ放電制御電界効果トランジスタ１２の抵抗値Ｒ12、Ｎｃｈ充電制御電界効果トランジスタ１３の抵抗値Ｒ13によって決定され、Ｉ1×（Ｒ12＋Ｒ13）で表される。
【００１６】
定電流回路１０３は抵抗１０４、ＮＭＯＳトランジスタ１０５に電流を流し、電圧を発生させる。その電圧を基準電圧回路の基準電圧として出力する。比較回路１０１は、基準電圧回路の基準電圧と過電流検出端子１９の電圧を比較し、過電流検出端子１９の電圧が高ければ検出信号を制御回路１５に出力して、Ｎｃｈ放電制御電界効果トランジスタ１２をオフさせ過電流保護をかける。
【００１７】
過電流検出電流値の設定値をＩDOP、基準電圧回路の基準電圧をＶref、Ｎｃｈ放電制御電界効果トランジスタ１２の抵抗値をＲ12、Ｎｃｈ充電制御電界効果トランジスタ１３の抵抗値をＲ13とする。比較回路１０１が検出信号を出力する閾値電圧となる時の外部端子２１の電圧はＶrefである。この時、外部端子２０、２１間に流れた電流は、外部端子２１の電圧をＮｃｈ放電制御電界効果トランジスタ１２とＮｃｈ充電制御電界効果トランジスタ１３の抵抗値の合計で割ったものとなり、ＩDOP＝Ｖref／（Ｒ12＋Ｒ13）と表される。
【００１８】
ここで、Ｎｃｈ電界効果トランジスタの抵抗値にはゲート・ソース間電圧依存性と温度依存性があり、Ｎｃｈ充放電制御電界効果トランジスタのソース電位は二次電池の負極電位、ゲート電位は二次電池の正極電位のため、Ｎｃｈ充放電制御電界効果トランジスタの抵抗値（Ｒ12＋Ｒ13）は、二次電池電圧依存性と温度依存性を持つ。
【００１９】
ＮＭＯＳトランジスタ１０５はソースを負極電源端子４３、ゲートを正極電源端子４４に接続することでＮｃｈ充放電制御電界効果トランジスタとゲート・ソース間電圧が同じ状態を作り出している。ＮＭＯＳトランジスタ１０５のＷ長とＬ長と、ＮＭＯＳトランジスタ１０５へ流入する電流量を定電流回路１０３で変化させると、二次電池電圧依存性を調節可能となる。また、過電流検出電流値ＩDOPを調節するためには、ＩDOP＝Ｖref／（Ｒ12＋Ｒ13）で表されるため、Ｖrefの絶対値の調節が必要となる。定電流回路１０３の電流値に応じて抵抗１０４の値を最適化することで調節が可能となる。また、Ｖrefの絶対値の合わせ込みを行った時は、Ｖrefの温度特性がＮｃｈ充放電制御トランジスタの温度特性と一致するように、抵抗１０４の温度特性を最適化しておく必要がある。抵抗１０４の温度特性は、素子の作り方を変更することで調節することができる。
【００２０】
外部端子２０、２１が短絡すると短絡電流が流れ二次電池１１の負極と外部端子２１間に電位差が発生する。この電位差は、外部端子２０、２１間に流れた電流量Ｉ2、Ｎｃｈ放電制御電界効果トランジスタ１２の抵抗値Ｒ12、Ｎｃｈ充電制御電界効果トランジスタ１３の抵抗値Ｒ13によって決定され、Ｉ2×（Ｒ12＋Ｒ13）で表される。比較回路１０２は、基準電圧Ｖrefと抵抗１０６と１０７の接続点の電圧を比較し、抵抗１０６と１０７の接続点の電圧が高ければ検出信号を制御回路１５に出力して、Ｎｃｈ放電制御電界効果トランジスタ１２をオフさせ短絡保護をかける。
【００２１】
短絡検出電流値の設定値をＩSHORT、抵抗１０６の抵抗値をＲ106、抵抗１０７の抵抗値をＲ107とする。比較回路１０２が検出信号を出力する閾値電圧となる時の外部端子２１の電圧をＶref2とすると、Ｖref2＝Ｖref×（Ｒ106＋Ｒ107）／Ｒ106となる。この時、外部端子２０、２１間に流れた電流は、外部端子２１の電圧をＮｃｈ放電制御電界効果トランジスタ１２とＮｃｈ充電制御電界効果トランジスタ１３の抵抗値の合計で割ったものとなり、ＩSHORT＝Ｖref2／（Ｒ12＋Ｒ13）＝Ｖref×（Ｒ106＋Ｒ107）／（Ｒ106×（Ｒ12＋Ｒ13））と表される。
【００２２】
過電流検出時と同様に抵抗値（Ｒ12＋Ｒ13）は、二次電池電圧依存性と温度依存性を持ち、ＮＭＯＳトランジスタ１０５のＷ長とＬ長と、定電流回路１０３の電流値を変化させることで二次電池電圧依存性を調節する。また、短絡検出電流値ＩSHORTを調節するためには、ＩSHORT＝Ｖref×（Ｒ106＋Ｒ107）／（Ｒ106×（Ｒ12＋Ｒ13））で表されるため、基準電圧Ｖrefの絶対値、抵抗１０６、１０７の合わせ込みも必要となる。ＶrefがＩSHORT×（Ｒ106×（Ｒ12＋Ｒ13））／（Ｒ106＋Ｒ107）になるように定電流回路１０３の電流値に応じて抵抗１０４、１０６、１０７の値を最適化することで、短絡検出電流の狙い値を調節する。また、抵抗１０４、１０６、１０７の温度特性は、素子の作り方で調節可能である。Ｖrefの絶対値の合わせ込みを行った時に、Ｖrefの温度特性がＮｃｈ充放電制御トランジスタの温度特性と一致するように、抵抗１０４、１０６、１０７の温度特性を最適化しておく必要がある。
【００２３】
こうして、基準電圧回路の基準電圧の値の二次電池電圧依存性と温度依存性を調節可能にし、Ｎｃｈ充放電制御電界効果トランジスタの抵抗値の二次電池電圧依存性、温度依存性と一致させることで、過電流検出電流値の設定値ＩDOPと短絡検出電流値の設定値ＩSHORTが二次電池電圧や温度が変化しても一定の値となるようにすることができる。また、短絡検出用の基準電圧回路を用いなくても検出可能なため、消費電流を削減することができる。
【００２４】
なお、ＮＭＯＳトランジスタ１０５のゲートは、充放電制御回路１４の正極電源端子４２としたが、二次電池電圧を感知して抵抗値が変化すれば良いため、二次電池電圧依存性を持つ回路の出力に接続し、定電流値を調節すれば第一の実施形態と同じ効果を発揮させることが可能である。
【００２５】
また、Ｎｃｈ放電制御電界効果トランジスタ１２、Ｎｃｈ充電制御電界効果トランジスタ１３、ＮＭＯＳトランジスタ１０５を用いて説明したが、この構成に限らず、Ｐｃｈ電界効果トランジスタを用いＮＭＯＳトランジスタ１０５をＰＭＯＳトランジスタに、定電流回路１０３の正極電源端子４４の接続を負極電源端子４３に変更しても同様の動作をさせることができるということはいうまでもない。
【００２６】
また、抵抗１０４と抵抗１０６と抵抗１０７はこの構成に限らず、インピーダンスを持つ素子であればどのようなインピーダンス素子であってもよい。そして、抵抗１０６と抵抗１０７は、過電流検出端子１９の電圧を分圧できればよく、この構成に限らない。
【００２７】
以上により、第一の実施形態のバッテリ装置は、充放電制御回路の過電流検出電圧および短絡検出電圧とＮｃｈ充放電制御電界効果トランジスタの二次電池電圧依存性、温度依存性を一致させることで、バッテリ装置の過電流検出電流値および短絡検出電流値の精度を向上させ、バッテリ装置の安全性を高めることができる。また、短絡検出用の基準電圧回路を用いず消費電流を削減することができる。
【００２８】
＜実施形態２＞
図２は、第二の実施形態の充放電制御回路及びバッテリ装置の回路図である。第一の実施形態との違いは抵抗１０６、１０７を削除し、短絡電流検出端子２０１と抵抗２０２を追加した点である。
【００２９】
接続について説明する。比較回路１０２の反転入力端子は短絡電流検出端子２０１に接続される。抵抗２０２の一方の端子は短絡電流検出端子２０１に接続され、もう一方の端子はＮｃｈ充電制御電界効果トランジスタ１２のドレインに接続される。他は第一の実施形態と同様の接続である。
【００３０】
次に、動作について説明する。外部端子２０、２１の間に負荷が接続され過電流を検出する動作は実施形態１と同様である。外部端子２０、２１が短絡した時、短絡電流が流れ二次電池１１の負極と外部端子２１間に電位差が発生する。この電位差は、外部端子２０、２１間に流れた電流量Ｉ2、Ｎｃｈ放電制御電界効果トランジスタ１２の抵抗値Ｒ12、Ｎｃｈ充電制御電界効果トランジスタ１３の抵抗値Ｒ13によって決定され、Ｉ2×（Ｒ12＋Ｒ13）で表される。比較回路１０２は、基準電圧回路の基準電圧とＮｃｈ充電制御電界効果トランジスタ１２のドレインの電圧を比較し、Ｎｃｈ充電制御電界効果トランジスタ１２のドレインの電圧が高ければ検出信号を制御回路１５に出力して、Ｎｃｈ放電制御電界効果トランジスタ１２をオフさせ短絡保護をかける。
【００３１】
短絡検出電流値の設定値をＩSHORT、Ｎｃｈ放電制御電界効果トランジスタ１２の抵抗値をＲ12、Ｎｃｈ放電制御電界効果トランジスタ１３の抵抗値をＲ13とする。比較回路１０１が検出信号を出力する閾値電圧をＶref、比較回路１０２が検出信号を出力する閾値電圧をＶref2とすると、Ｖref2＝Ｖref×（Ｒ12＋Ｒ13）／Ｒ12となり、比較回路１０２が検出信号を出力する時の外部端子２１の電圧はＶref2である。この時、外部端子２０、２１間に流れた電流は、外部端子２１の電圧をＮｃｈ放電制御電界効果トランジスタ１２とＮｃｈ充電制御電界効果トランジスタ１３の抵抗値の合計で割ったものとなり、ＩSHORT＝Ｖref2／（Ｒ12＋Ｒ13）＝Ｖref／Ｒ12と表される。
【００３２】
過電流検出時と同様に抵抗値Ｒ12は、二次電池電圧依存性と温度依存性を持ち、ＮＭＯＳトランジスタ１０５のＷ長とＬ長と、定電流回路１０３の電流値を変化させることで二次電池電圧依存性を調節する。また、短絡検出電流値ＩSHORTを調節するためには、ＩSHORT＝Ｖref／Ｒ12で表されるため、基準電圧Ｖrefの絶対値の合わせ込みも必要となる。ＶrefがＩSHORT×Ｒ12になるように定電流回路１０３の電流値に応じて抵抗１０４の値を最適化することで、短絡検出電流の狙い値を調節する。また、抵抗１０４の温度特性は、素子の作り方で調節可能である。Ｖrefの絶対値の合わせ込みを行った時に、Ｖrefの温度特性がＮｃｈ充放電制御トランジスタの温度特性と一致するように、抵抗１０４の温度特性を最適化しておく必要がある。
【００３３】
こうして、基準電圧回路の基準電圧の値の二次電池電圧依存性と温度依存性を調節可能にし、Ｎｃｈ充放電制御電界効果トランジスタの抵抗値の二次電池電圧依存性、温度依存性と一致させることで、過電流検出電流値の設定値ＩDOPと短絡検出電流値の設定値ＩSHORTが二次電池電圧や温度が変化しても一定の値となるようにすることができる。また、短絡検出用の基準電圧回路を用いなくても検出可能なため消費電流を削減することができる。
【００３４】
なお、ＮＭＯＳトランジスタ１０５のゲートは、充放電制御回路１４の正極電源端子４２としたが、二次電池電圧を感知して抵抗値が変化すれば良いため、二次電池電圧依存性を持つ回路の出力に接続し、定電流値を調節すれば第一の実施形態と同じ効果を発揮させることが可能である。
【００３５】
また、Ｎｃｈ放電制御電界効果トランジスタ１２、Ｎｃｈ充電制御電界効果トランジスタ１３、ＮＭＯＳトランジスタ１０５を用いて説明したが、この構成に限らず、Ｐｃｈ電界効果トランジスタを用いＮＭＯＳトランジスタ１０５をＰＭＯＳトランジスタに、定電流回路１０３の正極電源端子４４の接続を負極電源端子４３に変更しても同様の動作をさせることができるということはいうまでもない。
【００３６】
また、Ｎｃｈ放電制御電界効果トランジスタ１２、Ｎｃｈ充電制御電界効果トランジスタ１３はこの構成に限らず、制御回路１５からの信号で制御できインピーダンスがある素子であればどのようなインピーダンス素子であってもよい。これらは、充放電制御回路１４に内蔵されてもよい。
また、抵抗１０４はこの構成に限らず、インピーダンスを持つ素子であればどのようなインピーダンス素子であってもよい。
【００３７】
以上により、第二の実施形態のバッテリ装置は、充放電制御回路の過電流検出電圧および短絡検出電圧とＮｃｈ充放電制御電界効果トランジスタの二次電池電圧依存性、温度依存性を一致させることで、バッテリ装置の過電流検出電流値および短絡検出電流値の精度を向上させ、バッテリ装置の安全性を高めることができる。また、短絡検出用の基準電圧回路を用いず消費電流を削減することができる。
【００３８】
＜実施形態３＞
図３は、第三の実施形態の充放電制御回路及びバッテリ装置の回路図である。第一の実施形態のバッテリ装置との違いは二次電池１１の負極と負極電源端子４３の接続点とＮｃｈ放電制御電界効果トランジスタ１２のソースとの間に抵抗３０１を追加した点である。他はすべて第一の実施形態と同様である。
【００３９】
Ｎｃｈ放電制御電界効果トランジスタ１２のオン抵抗Ｒ12と、Ｎｃｈ充電制御電界効果トランジスタ１３のオン抵抗Ｒ13は製造工程でのばらつきが大きく精度が悪い。そこで、Ｎｃｈ電界効果トランジスタよりも抵抗値のばらつきの少ない抵抗３３を直列に設けることで、過電流検出電流値のばらつきを小さくすることができる。過電流と短絡電流を検出する動作は第一の実施形態と同様であり、図３の構成でも実現することができる。
【００４０】
なお、抵抗３０１の位置は図３の位置に限定されず、二次電池１１の負極と負極電源端子４３の接続点と外部端子２１と抵抗２２の接続点の間であればどこに設けてもよい。
また、抵抗３０１は意図的に設けた抵抗でなくとも良く、回路を構成する際の寄生抵抗で構わない。また、実施例１の構成に限らず実施例２の構成に用いても良い。
【００４１】
以上により、第三の実施形態のバッテリ装置は、充放電制御回路の過電流検出電圧および短絡検出電圧とＮｃｈ充放電制御電界効果トランジスタの二次電池電圧依存性、温度依存性を一致させることで、バッテリ装置の過電流検出電流値および短絡検出電流値の精度を向上させ、バッテリ装置の安全性を高めることができる。また、短絡検出用の基準電圧回路を用いず消費電流を削減することができる。
【符号の説明】
【００４２】
１１  二次電池
１４  充放電制御回路
１５  制御回路
１０１、１０２  比較回路
１９  過電流検出端子
２０、２１  外部端子
１０３  定電流回路
１１０  短絡過電流検出回路
２０１  短絡検出端子
４１  充電制御信号出力端子
４２  放電制御信号出力端子
４３  負極電源端子
４４  正極電源端子
【図１】
2015220771.tif 000003
【図２】
2015220771.tif 000004
【図３】
2015220771.tif 000005
【図４】
2015220771.tif 000006